(57)【要約】【課題】肌の角質を除去しやすくすることが可能な美容装置を提供する。【解決手段】把持するためのグリップ部１１に対し、肌の角質を除去するための角質除去ヘッド１２と、体毛を除去するための脱毛ヘッド１３とを択一的に着脱自在に備える。【選択図】図４
2011004969.tif 000002
【特許請求の範囲】
【請求項１】
把持するためのグリップ部に対し、肌の角質を除去するための角質除去手段と、体毛を除去するための除毛手段とを択一的に着脱自在に備える、若しくは前記角質除去手段及び前記除毛手段をそれぞれ備えることを特徴とする美容装置。
【請求項２】
請求項１に記載の美容装置において、
前記角質除去手段及び前記除毛手段は、それぞれモジュール化された角質除去ヘッド及び除毛ヘッドであり、該角質除去ヘッド及び除毛ヘッドはそれぞれ前記グリップ部に対して着脱自在に構成されたことを特徴とする美容装置。
【請求項３】
請求項１又は２に記載の美容装置において、
前記角質除去手段は、角質を除去するための研磨体を外周面に有する角質除去用回転シリンダを備え、
前記除毛手段は、除毛を行うための除毛部を外周面に備えた除毛用回転シリンダを備えたことを特徴とする美容装置。
【請求項４】
請求項３に記載の美容装置において、
前記各回転シリンダの回転軸は、互いに平行をなすとともに、正面視で前記グリップ部の軸線に対して垂直をなすように構成されたことを特徴とする美容装置。
【請求項５】
請求項４に記載の美容装置において、
各回転シリンダは、使用状態において同方向に回転するように構成されたことを特徴とする美容装置。
【請求項６】
請求項４又は５に記載の美容装置において、
前記角質除去用回転シリンダは、上面側及び正面側で露出するように構成されたことを特徴とする美容装置。
【請求項７】
請求項６に記載の美容装置において、
前記角質除去用回転シリンダは、その回転軸が前記グリップ部の軸線よりも正面側に位置するように構成されたことを特徴とする美容装置。
【請求項８】
請求項３〜７のいずれか１項に記載の美容装置において、
前記各回転シリンダは、前記グリップ部内に設けられた同一の駆動源の動力に基づいて回転動作するように構成されたことを特徴とする美容装置。
【請求項９】
請求項８のいずれか１項に記載の美容装置において、
前記角質除去手段及び前記除毛手段はそれぞれ、前記駆動源としてのモータの回転を減速して前記角質除去用回転シリンダ及び前記除毛用回転シリンダにそれぞれ伝達する減速部を備え、その各減速部の減速比が互いに異なるように構成されたことを特徴とする美容装置。
【請求項１０】
請求項３〜９のいずれか１項に記載の美容装置において、
前記角質除去用回転シリンダ及び前記除毛用回転シリンダは、径が互いに異なることを特徴とする美容装置。
【発明の詳細な説明】
【技術分野】
【０００１】
本発明は、美容装置に関するものである。
【背景技術】
【０００２】
従来、肌の角質を除去するための美容装置は、例えば特許文献１に示すように、回転駆動される研磨体を有するヘッド部と、該ヘッド部に一体に形成したグリップ部とを備えており、回転する研磨体を肌に押し当てることで角質が除去されるようになっている。
【先行技術文献】
【特許文献】
【０００３】
【特許文献１】特開平４−３０８１８号公報
【発明の概要】
【発明が解決しようとする課題】
【０００４】
しかしながら、上記のような美容装置では、体毛が生えている箇所の角質を除去する際、体毛が角質の除去の邪魔をして角質が除去しにくくなるといった問題があった。
本発明は、上記課題を解決するためになされたものであって、その目的は、肌の角質を除去しやすくすることが可能な美容装置を提供することにある。
【課題を解決するための手段】
【０００５】
上記課題を解決するために、請求項１に記載の発明は、把持するためのグリップ部に対し、肌の角質を除去するための角質除去手段と、体毛を除去するための除毛手段とを択一的に着脱自在に備える、若しくは前記角質除去手段及び前記除毛手段をそれぞれ備えることを特徴とする。
【０００６】
この発明では、角質除去手段及び除毛手段をグリップ部に対して択一的に着脱自在に備える構成の場合、グリップ部に除毛手段を取り付けて肌の体毛を除去した後に、除毛手段を角質除去手段に交換して角質を除去することが可能となる。また、角質除去手段及び除毛手段をそれぞれ備える構成の場合にも、除毛手段にて肌の体毛を除去した後、角質除去手段にて角質を除去することが可能となる。これにより、体毛が生えている箇所の角質を除去する際に、体毛が角質の除去の邪魔をすることなく、角質を除去しやすくすることが可能となる。
【０００７】
請求項２に記載の発明は、請求項１に記載の美容装置において、前記角質除去手段及び前記除毛手段は、それぞれモジュール化された角質除去ヘッド及び除毛ヘッドであり、該角質除去ヘッド及び除毛ヘッドはそれぞれ前記グリップ部に対して着脱自在に構成されたことを特徴とする。
【０００８】
この発明では、角質除去手段及び除毛手段がそれぞれ角質除去ヘッド及び除去ヘッドとしてモジュール化されるため、それらの交換（着脱）が容易となる。
請求項３に記載の発明は、請求項１又は２に記載の美容装置において、前記角質除去手段は、角質を除去するための研磨体を外周面に有する角質除去用回転シリンダを備え、前記除毛手段は、除毛を行うための除毛部を外周面に備えた除毛用回転シリンダを備えたことを特徴とする。
【０００９】
この発明では、角質除去手段及び除毛手段がそれぞれ専用の回転シリンダを有するため、除毛と角質の除去を容易に行うことができる。
請求項４に記載の発明は、請求項３に記載の美容装置において、前記各回転シリンダの回転軸は、互いに平行をなすとともに、正面視で前記グリップ部の軸線に対して垂直をなすように構成されたことを特徴とする。
【００１０】
この発明では、各回転シリンダの回転軸が互いに平行をなすとともに、正面視でグリップ部の軸線に対して垂直をなすように構成されるため、グリップ部を把持した状態で各回転シリンダを使用部位に当てやすくすることが可能となる。
【００１１】
請求項５に記載の発明は、請求項４に記載の美容装置において、各回転シリンダは、使用状態において同方向に回転するように構成されたことを特徴とする。
この発明では、回転する回転シリンダを肌に当てたときの摩擦によって使用者が受ける力の向きを各回転シリンダで同一とすることができるため、角質除去手段と除毛手段とをそれぞれ同様の感覚で使用することができる。
【００１２】
請求項６に記載の発明は、請求項４又は５に記載の美容装置において、前記角質除去用回転シリンダは、上面側及び正面側で露出するように構成されたことを特徴とする。
この発明では、角質除去用回転シリンダの上面側だけでなく正面側も使用可能となるため、角質除去用回転シリンダを使用部位に当てやすくすることが可能となる。
【００１３】
請求項７に記載の発明は、請求項６に記載の美容装置において、前記角質除去用回転シリンダは、その回転軸が前記グリップ部の軸線よりも正面側に位置するように構成されたことを特徴とする。
【００１４】
この発明では、角質除去用回転シリンダの回転軸がグリップ部の軸線よりも正面側に位置するため、グリップ部を把持した状態で角質除去用回転シリンダの正面側を使用部位に当てやすくすることが可能となる。
【００１５】
請求項８に記載の発明は、請求項３〜７のいずれか１項に記載の美容装置において、前記各回転シリンダは、前記グリップ部内に設けられた同一の駆動源の動力に基づいて回転動作するように構成されたことを特徴とする。
【００１６】
この発明では、角質除去手段と除毛手段とで別々の駆動源を設けなくて済むため、部品点数の増加及び美容装置の大型化を抑制することが可能となる。
請求項９に記載の発明は、請求項８のいずれか１項に記載の美容装置において、前記角質除去手段及び前記除毛手段はそれぞれ、前記駆動源としてのモータの回転を減速して前記角質除去用回転シリンダ及び前記除毛用回転シリンダにそれぞれ伝達する減速部を備え、その各減速部の減速比が互いに異なるように構成されたことを特徴とする。
【００１７】
この発明では、角質除去用回転シリンダの単位時間当たりの回転数と、除毛用回転シリンダの単位時間当たりの回転数を、それぞれ役割に適した値に設定でき、高い角質の研磨性能と高い除毛性能を両立することが可能となる。
【００１８】
請求項１０に記載の発明は、請求項３〜９に記載の美容装置において、前記角質除去用回転シリンダ及び前記除毛用回転シリンダは、径が互いに異なることを特徴とする。
この発明では、角質除去用回転シリンダの径と、除毛用回転シリンダの径を、それぞれ役割に適した値に設定でき、高い角質の研磨性能と高い除毛性能を両立することが可能となる。
【発明の効果】
【００１９】
従って、上記記載の発明によれば、肌の角質を除去しやすくすることが可能となる。
【図面の簡単な説明】
【００２０】
【図１】（ａ）第１実施形態の美容装置の正面図、（ｂ）同美容装置の側面図。
【図２】第１実施形態の美容装置の断面図。
【図３】第１実施形態の美容装置の断面図。
【図４】グリップ部、角質除去ヘッド及び脱毛ヘッドの正面図。
【図５】（ａ）（ｂ）ともに脱毛ヘッドの断面図。
【図６】第２実施形態の美容装置の正面図。
【図７】第２実施形態の美容装置の断面図。
【図８】第２実施形態の美容装置の断面図。
【発明を実施するための形態】
【００２１】
（第１実施形態）
以下、本発明を具体化した第１実施形態を図面に従って説明する。
図１（ａ）（ｂ）には、使用者が把持できるグリップ部１１の上部に、角質を除去するための角質除去ヘッド１２を装着した美容装置１を示している。角質除去ヘッド１２は、回転可能に支持された角質除去用回転シリンダ１２ａを有し、回転駆動される回転シリンダ１２ａを肌に押し付けることで角質が除去されるようになっている。本実施形態の美容装置１では、角質除去ヘッド１２を脱毛ヘッド１３（図４参照）と交換することが可能となっており、体毛が生えて角質を除去しにくい部分では、まず脱毛ヘッド１３により肌の体毛を除去し、その後、脱毛ヘッド１３を角質除去ヘッド１２に替えて角質を除去することが可能となっている。
【００２２】
以下に、美容装置１の構造の詳細を説明する。
図１〜図３に示すように、グリップ部１１は、そのハウジング２１内に駆動源であるモータ２２と充電池２３とを備えている。また、ハウジング２１には、モータ２２を駆動するための電源スイッチ２４と、角質除去ヘッド１２又は脱毛ヘッド１３をグリップ部１１から外すためのリリース釦２５とが設けられている。尚、グリップ部１１のハウジング２１は防水構造に構成されており、内部への水等の浸入が抑制されるようになっている。
【００２３】
モータ２２の出力軸２２ａには、六角形状の嵌合凸部２６ａを有する出力部材２６が固定されており、この出力部材２６の嵌合凸部２６ａは、ハウジング２１の上面板２１ａからハウジング２１の外部に突出するように構成されている。
【００２４】
グリップ部１１の上部には、角質除去ヘッド１２又は脱毛ヘッド１３が着脱自在に取り付けられるヘッド取付部２７が形成されている（図４参照）。ヘッド取付部２７は、前記上面板２１ａと側部２７ａとで構成されて窪んだ形状をなしており、該ヘッド取付部２７には、角質除去ヘッド１２又は脱毛ヘッド１３の基端部が嵌め込まれて装着されるようになっている。
【００２５】
角質除去ヘッド１２は、ヘッドハウジング３１と、そのヘッドハウジング３１内に設けられた減速部３２と、ヘッドハウジング３１の上部（先端部）に回転可能に設けられた筒状の角質除去用回転シリンダ１２ａとを有している。
【００２６】
減速部３２は、図３に示すように、第１〜第５のギヤ３２ａ〜３２ｅから構成されている。第１のギヤ３２ａは、ヘッドハウジング３１の基端部から美容装置１（グリップ部１１）の軸線Ｌ１方向に突出するカプリング部３３を有し、このカプリング部３３には、前記出力部材２６の嵌合凸部２６ａに対応する六角形状の嵌合凹部３３ａが形成されている。角質除去ヘッド１２の装着状態において、カプリング部３３の嵌合凹部３３ａには出力部材２６の嵌合凸部２６ａが嵌合されて、モータ２２の回転が第１のギヤ３２ａに伝達されるようになっている。つまり、角質除去ヘッド１２において、第１のギヤ３２ａが動力の入力端となっている。そして、第１のギヤ３２ａの回転は、第２のギヤ３２ｂ、第３のギヤ３２ｃ、第４のギヤ３２ｄ及び第５のギヤ３２ｅにより適宜減速されて、最終的に回転シリンダ１２ａに伝達される。
【００２７】
回転シリンダ１２ａは、その回転軸Ｌ２が正面視でグリップ部１１の軸線Ｌ１と垂直をなす（回転軸Ｌ２が軸線Ｌ１と直交する方向に延びる）ように設けられており、モータ２２の駆動によって図３における反時計回りに回転するように構成されている。回転シリンダ１２ａは、外周面に砥粒（研磨体）を有してなり、モータ２２の駆動により回転する回転シリンダ１２ａと肌との摩擦で角質が除去されるようになっている。
【００２８】
尚、回転シリンダ１２ａは、ヘッドハウジング３１の上面側及び正面側で露出されており、上面側だけでなく正面側でも角質を除去することが可能となっている。回転シリンダ１２ａの正面側の露出部分にて角質を除去する場合、グリップ部１１が角質を除去する肌面に対して傾いた状態で使用されるため、グリップ部１１を把持する使用者が回転シリンダ１２ａと肌との摩擦力を受け止めやすくなり、安定した角質の除去が可能となっている。また、回転シリンダ１２ａの回転軸Ｌ２は、グリップ部１１の軸線Ｌ１よりも正面側に位置しており、グリップ部１１を把持した状態で回転シリンダ１２ａの正面側を使用部位に当てやすくすることが可能となっている。
【００２９】
図４に示すように、角質除去ヘッド１２の基端部には、一対のフック３４が突出形成されている。一方、グリップ部１１は、リリース釦２５と一体に動作する係止部（図示略）を有している。そして、角質除去ヘッド１２の装着状態において、この係止部は角質除去ヘッド１２の各フック３４と係止しており、角質除去ヘッド１２がヘッド取付部２７から脱落しないようになっている。また、リリース釦２５が押されると、前記係止部が該リリース釦２５とともにスライドしてフック３４との係止状態が解除され、角質除去ヘッド１２がグリップ部１１から取り外し可能となる。尚、角質除去ヘッド１２は、モジュール化、即ちヘッドハウジング３１に減速部３２と回転シリンダ１２ａとが設けられて１つのユニットとして構成されているため、グリップ部１１に対して容易に着脱することが可能となっている。
【００３０】
次に、上記のような角質除去ヘッド１２に替えて取り付け可能な脱毛ヘッド１３について図４及び図５（ａ）（ｂ）に従って説明する。脱毛ヘッド１３は、角質除去ヘッド１２と同様に、基端部がグリップ部１１のヘッド取付部２７に取付可能に構成されており、脱毛ヘッド１３の基端部は、角質除去ヘッド１２の基端部と同形状、同構成となっている。
【００３１】
脱毛ヘッド１３は、ヘッドハウジング４１と、そのヘッドハウジング４１内に設けられた減速部４２（図５（ａ）（ｂ）参照）と、ヘッドハウジング４１の上部（先端部）に回転可能に設けられた２つの筒状の脱毛用回転シリンダ４３（除去用回転シリンダ）とを有している。
【００３２】
脱毛ヘッド１３の減速部４２は、第１〜第６のギヤ４２ａ〜４２ｆから構成されている。第１のギヤ４２ａは、前記角質除去ヘッド１２のカプリング部３３と同形状のカプリング部４４を有し、該カプリング部４４はヘッドハウジング４１の基端部から軸線Ｌ１方向に突出している。そして、脱毛ヘッド１３の基端部をグリップ部１１のヘッド取付部２７に装着することにより、カプリング部４４の嵌合凹部４４ａにはモータ２２の出力部材２６が嵌合されて、モータ２２の回転が第１のギヤ４２ａに伝達されるようになっている。つまり、脱毛ヘッド１３において、第１のギヤ４２ａが動力の入力端となっている。そして、第１のギヤ４２ａの回転は、第２のギヤ４２ｂ、第３のギヤ４２ｃ、第４のギヤ４２ｄ、第５のギヤ４２ｅ及び第６のギヤ４２ｆにより適宜減速されて、最終的に各脱毛用回転シリンダ４３に伝達される（図５（ａ）（ｂ）参照）。
【００３３】
各脱毛用回転シリンダ４３の外周面には、除毛部としての開閉爪４３ａが設けられており、回転シリンダ４３の回転により開閉爪４３ａが毛を掴んで肌面から引き抜くようになっている。詳しくは、開閉爪４３ａは、対を成す固定爪と可動爪とを備えて成り、回転シリンダ４３の回転に伴って、その回転シリンダ４３内を挿通したレバーが該回転軸Ｌ３方向に変位し、可動爪を固定爪に対して近接／離反変位させることで、毛の挟持／離脱が可能となっている。このような脱毛のメカニズムおよび動作は公知技術であるため、その詳細な説明は省略する。
【００３４】
脱毛ヘッド１３の減速部４２の減速比は、角質除去ヘッド１２の減速部３２の減速比とは異なる値に設定されており、角質除去用回転シリンダ１２ａの単位時間当たりの回転数と、脱毛用回転シリンダ４３の単位時間当たりの回転数を、それぞれ役割に適した値に設定できるようになっている。詳しくは、角質除去ヘッド１２の減速部３２の減速比は、脱毛ヘッド１３の減速部４２の減速比よりも大きく設定されており、角質除去用回転シリンダ１２ａが角質の除去に十分なトルクで回転するように構成されている。
【００３５】
また、角質除去用回転シリンダ１２ａと脱毛用回転シリンダ４３とは、それらの径が互いに異なるように構成されている。詳しくは、角質除去用回転シリンダ１２ａの径は、脱毛用回転シリンダ４３の径よりも小さく構成され、角質除去用回転シリンダ１２ａが角質の除去に十分なトルクで回転するように構成されている。
【００３６】
各脱毛用回転シリンダ４３は、その回転軸Ｌ３が正面視でグリップ部１１の軸線Ｌ１と垂直をなす（回転軸Ｌ３が軸線Ｌ１と直交する方向に延びる）ように設けられ、モータ２２の駆動によって図５（ａ）における時計回りに回転するように構成されている。即ち、各脱毛用回転シリンダ４３は、使用状態において上記角質除去用回転シリンダ１２ａと同方向に回転するように構成されている。
【００３７】
また、脱毛ヘッド１３の基端部には、角質除去ヘッド１２のものと同形状の一対のフック４５が形成されており、角質除去ヘッド１２のフック３４と同様の役割をなす。即ち、各フック４５は、脱毛ヘッド１３の装着状態において前記グリップ部１１の係止部に係止されて、脱毛ヘッド１３がヘッド取付部２７から脱落しないようになっている。また、リリース釦２５が押されると、前記係止部が該リリース釦２５とともにスライドして各フック４５との係止状態が解除され、脱毛ヘッド１３がグリップ部１１から取り外し可能となる。また、脱毛ヘッド１３は、上記角質除去ヘッド１２と同様に、モジュール化されているため、グリップ部１１に対して容易に着脱することが可能となっている。
【００３８】
以上のような美容装置１では、体毛が生えている箇所の角質をとる際に、まずヘッド取付部２７に脱毛ヘッド１３を装着して肌の体毛を除去し、その後、脱毛ヘッド１３を角質除去ヘッド１２に交換して角質を除去することが可能となっており、角質を除去しやすくなっている。
【００３９】
次に、本実施形態の特徴的な作用効果を記載する。
（１）本実施形態では、把持するためのグリップ部１１に対し、肌の角質を除去するための角質除去ヘッド１２と、体毛を除去するための脱毛ヘッド１３とを択一的に着脱自在に備える。このため、グリップ部１１に脱毛ヘッド１３を取り付けて肌の体毛を除去した後に、脱毛ヘッド１３を角質除去ヘッド１２に交換して角質を除去することが可能となり、体毛が生えている箇所の角質を除去する際に、体毛が角質の除去の邪魔をすることなく、角質を除去しやすくすることが可能となる。
【００４０】
（２）本実施形態では、角質除去手段及び除毛手段は、それぞれモジュール化された角質除去ヘッド１２及び脱毛ヘッド１３であり、該角質除去ヘッド１２及び脱毛ヘッド１３はそれぞれグリップ部１１に対して着脱自在に構成されるため、それらの交換が容易となる。
【００４１】
（３）本実施形態では、角質除去ヘッド１２は、角質をするための砥粒（研磨体）を外周面に有する角質除去用回転シリンダ１２ａを備え、脱毛ヘッド１３は、脱毛するための開閉爪４３ａを外周面に備えた脱毛用回転シリンダ４３を備えるため、除毛と角質の除去を容易に行うことができる。
【００４２】
（４）本実施形態では、各回転シリンダ１２ａ，４３の回転軸Ｌ２，Ｌ３が互いに平行をなす（取付状態において同方向に向く）とともに、正面視でグリップ部１１の軸線Ｌ１に対して垂直をなすように構成されるため、グリップ部１１を把持した状態で各回転シリンダ１２ａ，４３を使用部位に当てやすくすることが可能となる。
【００４３】
（５）本実施形態では、各回転シリンダ１２ａ，４３は、使用状態において同方向に回転するように構成されるため、回転する回転シリンダ１２ａ，４３を肌に当てたときの摩擦によって使用者が受ける力の向きを各回転シリンダ１２ａ，４３で同一とすることができるため、角質除去ヘッド１２と脱毛ヘッド１３とをそれぞれ同様の感覚で使用することができる。
【００４４】
（６）本実施形態では、角質除去用回転シリンダ１２ａは、上面側及び正面側で露出するように構成される。これにより、角質除去用回転シリンダ１２ａの上面側だけでなく正面側も使用可能となるため、角質除去用回転シリンダ１２ａを使用部位に当てやすくすることが可能となる。
【００４５】
（７）本実施形態では、角質除去用回転シリンダ１２ａの回転軸Ｌ２がグリップ部１１の軸線Ｌ１よりも正面側に位置するため、グリップ部１１を把持した状態で角質除去用回転シリンダ１２ａの正面側を使用部位に当てやすくすることが可能となる。
【００４６】
（８）本実施形態では、各回転シリンダ１２ａ，４３は、グリップ部１１内に設けられた同一のモータ２２の動力に基づいて回転動作するように構成される。これにより、角質除去ヘッド１２と脱毛ヘッド１３とで別々のモータを設けなくて済むため、部品点数の増加及び美容装置１の大型化を抑制することが可能となる。
【００４７】
（９）本実施形態では、角質除去ヘッド１２の減速部３２の減速比と脱毛ヘッド１３の減速部４２の減速比とが互いに異なる値に設定される。このため、角質除去用回転シリンダ１２ａの単位時間当たりの回転数と、脱毛用回転シリンダ４３の単位時間当たりの回転数を、それぞれ役割に適した値に設定でき、高い角質の研磨性能と高い除毛性能を両立することが可能となる。
【００４８】
（１０）本実施形態では、角質除去用回転シリンダ１２ａと脱毛用回転シリンダ４３とは、それらの径が互いに異なる。このため、角質除去用回転シリンダ１２ａの径と、脱毛用回転シリンダ４３の径をそれぞれ役割に適した値に設定でき、高い角質の研磨性能と高い除毛性能を両立することが可能となる。
【００４９】
（第２実施形態）
以下、本発明を具体化した第２実施形態を図面に従って説明する。
本実施形態の美容装置５０では、グリップ部５１に角質除去ヘッド５２と脱毛ヘッド５３とがそれぞれ組み付けられている。尚、本実施形態において、前記第１実施形態のものと同様の構成のものは、前記第１実施形態と同一の符号を付して詳細な説明を省略する。
【００５０】
図６〜図８に示すように、グリップ部５１のハウジング６１の軸線Ｌ１方向の両端部にはそれぞれ、角質除去ヘッド５２及び脱毛ヘッド５３をそれぞれ取り付けるための第１及び第２ヘッド取付部６２，６３が形成されている。各ヘッド取付部６２，６３は、底部６２ａ，６３ａと側部６２ｂ，６３ｂとからなり、軸線Ｌ１方向中央に向かって窪んだ形状をなしている。尚、本実施形態の各ヘッド取付部６２，６３の構成は、前記第１実施形態のヘッド取付部２７の構成と略同様となっている。
【００５１】
ハウジング６１内には、駆動源であるモータ６４と充電池２３とが設けられている。また、グリップ部５１には、モータ６４を駆動するための電源スイッチ２４と、角質除去ヘッド５２及び脱毛ヘッド５３を各ヘッド取付部６２，６３から外すための各リリース釦２５とが設けられている。尚、グリップ部５１のハウジング６１は防水構造に構成されており、内部への水等の浸入が抑制されるようになっている。
【００５２】
モータ６４は、出力軸６４ａの両端部がモータハウジング６４ｂからそれぞれ突出する構成（２つの出力が可能なタイプ）のものである。モータ６４の出力軸６４ａの両端部はそれぞれ第１及び第２ヘッド取付部６２，６３まで延びるとともに、該両端部にはそれぞれ出力部材２６（前記第１実施形態のものと同様の部材）が固定されている。各出力部材２６の嵌合凸部２６ａは、各ヘッド取付部６２，６３の底部６２ａ，６３ａからハウジング６１の外部に突出するように構成されている。
【００５３】
また、各リリース釦２５は、該リリース釦２５とそれぞれ一体に動作する係止部（上記第１実施形態と同様）を有している。各ヘッド５２，５３の装着状態において、この係止部は角質除去ヘッド５２及び脱毛ヘッド５３の各フック３４，４５に係止されている。そして、各リリース釦２５が押されると、前記係止部とフック３４，４５との係止状態が解除され、各ヘッド５２，５３がグリップ部５１から取り外し可能となる。
【００５４】
角質除去ヘッド５２における第１のギヤ３２ａの嵌合凹部３３ａには、第１ヘッド取付部６２側の出力部材２６の嵌合凸部２６ａが嵌合され、脱毛ヘッド５３における第１のギヤ４２ａの嵌合凹部４４ａには、第２ヘッド取付部６３側の出力部材２６の嵌合凸部２６ａが嵌合されている。これにより、モータ６４の出力軸６４ａの回転は、各ヘッド５２，５３の第１のギヤ３２ａ，４２ａに伝達され、最終的に各ヘッド５２，５３の回転シリンダ１２ａ，４３に伝達されるようになっている。また、各回転シリンダ１２ａ，４３の回転軸Ｌ２，Ｌ３は、互いに平行をなすとともに、正面視でグリップ部５１の軸線Ｌ１と垂直をなしている（各回転軸Ｌ２，Ｌ３が軸線Ｌ１と直交する方向に延びている）。
【００５５】
このような美容装置５０では、体毛が生えている箇所の角質をとる際に、まず脱毛ヘッド５３にて肌の体毛を除去し、その後、角質除去ヘッド５２にて角質を除去することが可能となっており、角質を除去しやすくなっている。また、角質除去用回転シリンダ１２ａ及び各脱毛用回転シリンダ４３は、使用状態（各回転シリンダ１２ａ，４３を肌に当てた状態）で同方向に回転するように構成されている。このため、回転する回転シリンダ１２ａ，４３を肌に当てたときの摩擦によって使用者が受ける力の向きが各回転シリンダ１２ａ，４３で同一となり、それぞれ同様の感覚で使用することが可能となっている。
【００５６】
本実施形態の美容装置５０は、グリップ部５１に角質除去ヘッド５２と脱毛ヘッド５３を両方備える点で前記第１実施形態とは異なっているが、第１実施形態で記載したものと略同様の作用効果を有している。
【００５７】
尚、本発明の実施形態は、以下のように変更してもよい。
・上記第２実施形態では、角質除去ヘッド５２及び脱毛ヘッド５３をそれぞれモジュール化してグリップ部５１と別体で構成したが、これ以外に例えば、グリップ部５１のハウジング６１と各ヘッド５２，５３のヘッドハウジング３１，４１とを一体として、グリップ部５１と角質除去ヘッド５２及び脱毛ヘッド５３とを一体に構成してもよい。
【００５８】
・上記第２実施形態において、出力軸６４ａにクラッチ等を設けて、角質除去用回転シリンダ１２ａ及び脱毛用回転シリンダ４３のいずれか一方が駆動しているときには、いずれか他方が回転しないように構成してもよい。
【００５９】
・上記各実施形態では、角質除去用回転シリンダ１２ａを１つ、脱毛用回転シリンダ４３を２つで構成したが、これに特に限定されるものではなく、角質除去用回転シリンダ１２ａを２つ以上で構成してもよく、また、脱毛用回転シリンダ４３を１つのみ、又は３つ以上で構成してもよい。
【００６０】
・上記各実施形態では、角質除去用回転シリンダ１２ａ及び脱毛用回転シリンダ４３の回転軸Ｌ２，Ｌ３が正面視でグリップ部５１の軸線Ｌ１に対して垂直をなすように構成したが、これに特に限定されるものではなく、構成に応じて適宜変更してもよい。
【００６１】
・上記各実施形態では、除毛手段を脱毛ヘッド１３としたが、これ以外に例えば、体毛を切断するための剃刀ヘッド等としてもよい。
【符号の説明】
【００６２】
１，５０…美容装置、１１，５１…グリップ部、１２，５２…角質除去手段としての角質除去ヘッド、１２ａ…角質除去用回転シリンダ、１３，５３…除毛手段としての脱毛ヘッド（除毛ヘッド）、２２，６４…駆動源としてのモータ、３２，４２…減速部、４３…脱毛用回転シリンダ（除毛用回転シリンダ）、４３ａ…除毛部としての開閉爪、Ｌ１…グリップ部の軸線、Ｌ２…角質除去用回転シリンダの回転軸、Ｌ３…脱毛用回転シリンダの回転軸。
【図１】
2011004969.tif 000003
【図２】
2011004969.tif 000004
【図３】
2011004969.tif 000005
【図４】
2011004969.tif 000006
【図５】
2011004969.tif 000007
【図６】
2011004969.tif 000008
【図７】
2011004969.tif 000009
【図８】
2011004969.tif 000010